(57)【特許請求の範囲】
【請求項１】
端末の表示器に表示されている情報記号を光学的に読み取り、この情報記号が示す第１の情報を取得する読取部と、
前記端末との間で無線通信を行い、当該端末から送信されてきた前記第１の情報に対応する第２の情報を受信するゲート側無線通信部と、
前記読取部が取得した前記第１の情報と、前記ゲート側無線通信部が受信した前記第２の情報とを用いて、通路における通行者の通行を許可するかどうかを判定する判定部と、を備え、
前記ゲート側無線通信部が前記端末から送信されてきた前記第２の情報を受信すると、前記読取部で前記情報記号の読み取りを行う、ゲート装置。
【請求項２】
前記第１の情報は、前記端末を識別する端末コードを含み、
前記第２の情報は、前記端末を識別する前記端末コードを含み、
前記判定部は、前記第１の情報に含まれている前記端末コードと、前記第２の情報に含まれている前記端末コードと、が一致しているかどうかにより、前記通路における通行者の通行を許可するかどうかを判定する、請求項１に記載のゲート装置。
【請求項３】
前記第１の情報は、前記情報記号を識別する識別コードを含み、
前記第２の情報は、前記情報記号を識別する前記識別コードを含み、
前記判定部は、前記第１の情報に含まれている前記識別コードと、前記第２の情報に含まれている前記識別コードと、が一致しているかどうかにより、前記通路における通行者の通行を許可するかどうかを判定する、請求項１、または２に記載のゲート装置。
【請求項４】
前記第２の情報は、前記通路の通行における前記情報記号の利用状態を含み、
前記ゲート側無線通信部は、前記判定部が通路における通行者の通行を許可すると判定すると、前記第２の情報の更新指示を前記端末に送信する、請求項１〜３のいずれかに記載のゲート装置。
【請求項５】
前記ゲート側無線通信部は、アンテナを、前記情報記号を光学的に読み取る前記読取部の読取領域周辺に配置している、請求項１〜４のいずれかに記載のゲート装置。
【請求項６】
請求項１〜３のいずれかに記載したゲート装置と、前記端末と、を有し、
前記端末は、
前記第１の情報を示す前記情報記号を前記表示器に表示する表示部と、
前記第２の情報を無線通信により送信する端末側無線通信部と、を備える、
通行管理システム。
【請求項７】
前記第２の情報は、前記通路の通行における前記情報記号の利用状態を含み、
前記ゲート装置の前記ゲート側無線通信部は、前記判定部が通路における通行者の通行を許可すると判定すると、前記第２の情報の更新指示を前記端末に送信し、
前記端末は、前記ゲート装置から送信されてきた前記第２の情報の更新指示を前記端末側無線通信部で受信すると、前記第２の情報を更新する更新部を備えている、
請求項６に記載の通行管理システム。
【請求項８】
前記端末は、前記情報記号を光学的に読み取る前記ゲート装置の前記読取部の読取領域周辺に、端末本体が位置していることを検知する検知部を備え、
前記端末側無線通信部は、前記検知部が、前記ゲート装置の前記読取部の読取領域周辺に、端末本体が位置していることを検知すると、前記第２の情報を無線通信により送信する、
請求項６、または７に記載の通行管理システム。
【請求項９】
前記ゲート装置の前記ゲート側無線通信部は、アンテナを、前記情報記号を光学的に読み取る前記読取部の読取領域周辺に配置し、
前記端末の検知部は、前記端末側無線通信部における受信信号レベルにより、前記ゲート装置の前記読取部の読取領域周辺に、端末本体が位置しているかどうかを検知する、
請求項８に記載の通行管理システム。
【請求項１０】
請求項１に記載したゲート装置が、前記読取部において光学的に読み取り、前記第１の情報を取得する前記情報記号を表示器に表示する表示部と、
前記第２の情報を無線通信により前記ゲート装置に送信する端末側無線通信部と、
端末本体が前記ゲート装置の前記読取部の読取領域周辺に位置していることを検知する検知部と、を備え、
前記端末側無線通信部は、前記検知部によって、端末本体が前記読取部の前記読取領域周辺に位置していることが検知されたときに、前記第２の情報を無線通信により送信する、端末。
【請求項１１】
通路における通行者の通行を許可するかどうかを判定するゲート装置が実行する通行管理方法であって、
前記ゲート装置の読取部において、端末の表示器に表示されている情報記号を光学的に読み取り、この情報記号が示す第１の情報を取得する第１の情報取得ステップと、
前記ゲート装置のゲート側無線通信部において、前記端末との間で無線通信を行い、当該端末から送信されてきた前記第１の情報に対応する第２の情報を受信する第２の情報受信ステップと、
前記第１の情報取得ステップで取得した前記第１の情報と、前記第２の情報受信ステップで受信した前記第２の情報とを用いて、前記通路における通行者の通行を許可するかどうかを判定する判定ステップと、を備え、
前記第２の情報受信ステップで、前記ゲート側無線通信部が前記端末から送信されてきた前記第２の情報を受信すると、前記第１の情報取得ステップを実行する、通行管理方法。
【請求項１２】
通路における通行者の通行を許可するかどうかを判定するゲート装置のコンピュータに、
前記ゲート装置の読取部に、端末の表示器に表示されている情報記号を光学的に読み取らせ、この情報記号が示す第１の情報を取得させる第１の情報取得ステップと、
前記ゲート装置のゲート側無線通信部に、前記端末との間で無線通信を行わせ、当該端末から送信されてきた前記第１の情報に対応する第２の情報を受信させる第２の情報受信ステップと、
前記第１の情報取得ステップで取得した前記第１の情報と、前記第２の情報受信ステップで受信した前記第２の情報とを用いて、前記通路における通行者の通行を許可するかどうかを判定する判定ステップと、を実行させる通行管理プログラムであって、
前記第２の情報受信ステップで、前記端末から送信されてきた前記第２の情報が前記ゲート側無線通信部で受信されると、前記第１の情報取得ステップを実行させる、通行管理プログラム。
【発明の詳細な説明】
【技術分野】
【０００１】
この発明は、１次元バーコードや２次元バーコード等の情報記号が示す情報を用いて、通路における通行者の通行を管理する技術に関する。
【背景技術】
【０００２】
従来、駅の改札口では、駅構内に入場する利用者や、駅構内から出場する利用者に対する改札処理を自動改札機で行っている。自動改札機は、利用者が所持している乗車券を受け付け、その乗車券に記録されている乗車券情報に基づいて、改札通路における利用者の通行を許可するかどうかを判定する。
【０００３】
特許文献１、２等には、乗車券情報を２次元バーコード（例えば、ＱＲコード（登録商標））で記録した乗車券を受け付けて改札処理を行う改札システムが記載されている。乗車券情報を２次元バーコードで記録した乗車券は、コピーすることによって、簡単に複製（偽造）できる。また、乗車券情報を２次元バーコードで記録した乗車券は、公知の磁気券や非接触ＩＣ券のように、使い回しやキセル等にかかる不正使用を防止するための情報（入場情報や出場情報）を、改札処理時に記録することができない。
【０００４】
特許文献１は、発券した通行券（乗車券情報を２次元バーコードで記録した乗車券）の不正使用を防止するため、通行券の発券情報を中央管理装置（上位装置）で管理する構成である。また、自動改札機は、利用者の駅改札内への入場を許可すると、今回読み取った通行券情報を利用者が駅改札内へ入場したことを示す通行済情報として中央管理装置へ送信する。中央管理装置は、自動改札機から送信されてきた通行済情報を記憶する。また、中央管理装置は、同一の通行券について、通行済情報を重複して受信すると、当該通行券情報に含まれる通行券ＩＤを通行済情報の有効区間内の自動改札機へ通行不可情報として送信する。自動改札機は、通行券を受け付けて通行の可否を判定するとき、中央管理装置から送信されてきている通行不可情報との照合を行い、利用者の通行の可否を判定する。
【０００５】
また、特許文献２は、発券した乗車券（乗車券情報を２次元バーコードで記録した乗車券）の不正使用を防止するため、発券した乗車券の使用状態（入場情報や出場情報等）を上位装置で管理する構成である。自動改札機は、改札処理時に、上位装置から該当する乗車券の使用状態を取得し、改札通路における利用者の通行を許可するかどうかを判定する。
【０００６】
特許文献１、２は、上述の構成により、乗車券情報を２次元バーコードで記録した乗車券の不正使用に対するセキュリティの低下を抑えている。
【先行技術文献】
【特許文献】
【０００７】
【特許文献１】特開２０１１-１７５５５０号公報
【特許文献２】特許第５８１１７７２号公報
【発明の概要】
【発明が解決しようとする課題】
【０００８】
しかしながら、特許文献１、２に記載された改札システムは、発券された乗車券を管理する上位装置を必要とする構成である。また、システムを適正に運用するには、上位装置と、自動改札機等の駅務機器とを比較的高速に通信できるネットワークで接続する必要がある。また、システムの信頼性を確保するには、上位装置や、ネットワーク等における障害の発生により、システムダウンするのを防止するためのバックアップ機能も必要になる。このようなことから、システムの構築にかかる費用が高いという問題があった。
【０００９】
この発明の目的は、情報記号が示す情報によって、通路における利用者の通行を許可するかどうかを判定するシステムのセキュリティを低下させることなく、このシステムの構築にかかる費用を安価にする技術を提供することにある。
【課題を解決するための手段】
【００１０】
この発明は、上記目的を達するため、以下のように構成している。
【００１１】
この発明にかかるゲート装置は、読取部が、端末の表示器に表示されている情報記号を光学的に読み取り、この情報記号が示す第１の情報を取得する。情報記号は、例えば１次元バーコードや２次元バーコードである。端末は、携帯電話、スマートフォン、タブレット端末、ＰＤＡ等である。
【００１２】
また、ゲート側無線通信部は、端末との間で無線通信を行い、当該端末から送信されてきた第１の情報に対応する第２の情報を受信する。ゲート側無線通信部は、通信距離が十ｃｍ〜数ｍである近距離無線通信、例えばブルートゥース（登録商標）、で端末と通信する。
【００１３】
また、判定部は、読取部が読み取った第１の情報と、ゲート側無線通信部が受信した第２の情報とを用いて、通路における通行者の通行を許可するかどうかを判定する。
また、ゲート側無線通信部が端末から送信されてきた第２の情報を受信すると、読取部で情報記号の読み取りを行う。
【００１４】
このように、判定部は、端末から取得した、書き換えできない情報記号が示す第１の情報と、書き換えできる第２の情報と、を照合するので、書き換えできない情報記号の不正使用に対するセキュリティの低下を抑えることができる。また、情報記号を管理する上位装置を必要としない構成であるので、システムの構築にかかる費用を安価にすることができる。
【００１５】
また、端末を識別する端末コードや、情報記号を識別する識別コードを、第１の情報、および第２の情報の双方に含ませてもよい。この場合、判定部は、第１の情報に含まれている端末コードと、第２の情報に含まれている端末コードとが一致していることや、第１の情報に含まれている識別コードと、第２の情報に含まれている識別コードとが一致していることを通路における通行者の通行を許可する条件として判定する構成にすればよい。
【００１６】
これにより、情報記号（第１の情報）が他の端末に不正にコピーされても、第１の情報に含まれている端末コードと、第２の情報に含まれている端末コードとが異なるので、不正にコピーされた情報記号の不正使用に対するセキュリティを確保することができる。
【００１７】
また、判定部が通路における通行者の通行を許可すると判定すると、ゲート側無線通信部が第２の情報の更新指示を端末に送信する構成にするのが好ましい。この場合、端末は、ゲート装置からの更新指示に応じて、第２の情報を更新すればよい。これにより、情報の書き換えが行える第２の情報に、情報記号の使用状態を含ませることができ、情報記号の使い回しや、キセル等にかかる不正使用に対するセキュリティを確保することができる。
【００１８】
また、端末は、情報記号を光学的に読み取るゲート装置の読取部の読取領域周辺に、端末本体が位置していることを検知する検知部を備え、この検知部が、ゲート装置の読取部の読取領域周辺に、端末本体が位置していることを検知すると、第２の情報を無線通信により送信する構成にしてもよい。例えば、ゲート側無線通信部のアンテナを、情報記号を光学的に読み取るゲート装置の読取部の読取領域周辺に配置する。端末の検知部は、端末側無線通信部における受信信号レベルにより、端末本体が読取部の読取エリア周辺に位置しているかどうかを検知する構成にすればよい。
【００１９】
これにより、端末は、ゲート装置が第１の情報を取得する直前に、第２の情報をゲート装置に送信できる。したがって、通路における利用者のスループットを低下させることなく、ゲート装置と端末との間における無線通信を適正に行うことができる。
【発明の効果】
【００２０】
この発明によれば、情報記号が示す情報によって、通路における利用者の通行を許可するかどうかを判定するシステムのセキュリティを低下させることなく、このシステムの構築にかかる費用を安価にすることができる。
【図面の簡単な説明】
【００２１】
【図１】自動改札機の主要部の構成を示すブロック図である。
【図２】自動改札機を構成する一方の改札ユニットの外観を示す図である。
【図３】図２に示す破線で囲んだ領域の拡大図である。
【図４】携帯端末の主要部の構成を示すブロック図である。
【図５】乗車券情報を示す２次元バーコードが表示された携帯端末の表示器の画面例を示す図である。
【図６】自動改札機の動作を示すフローチャートである。
【図７】携帯端末の動作を示すフローチャートである。
【図８】受信電波強度と、距離との関係を示す図である。
【発明を実施するための形態】
【００２２】
以下、この発明の実施形態にかかる改札システムについて説明する。
【００２３】
この例にかかる改札システムは、自動改札機１と、携帯端末２０とを備える。自動改札機１は、駅の改札口に設置される。携帯端末２０は、駅構内に入場したり、駅構内から出場したりする利用者が所有する携帯電話、スマートフォン、タブレット端末、ＰＤＡ等の端末である。自動改札機１が、この発明で言うゲート装置に相当し、携帯端末２０が、この発明で言う端末に相当する。
【００２４】
自動改札機１は、公知のように、駅構内に入場する利用者に対して改札処理を行う入場ユニット、駅構内から出場する利用者に対して改札処理を行う出場用ユニット、および利用者に対して改札処理を行わない中立ユニットのいずれか２つのユニット（異なるユニット）を対向させて配置し、両ユニット間に改札通路を形成したものである。入場ユニットと、出場ユニットとを対向配置させた自動改札機１の改札通路は、利用者が駅構内に入場する方向、および利用者が駅構内から出場する方向の双方向である。入場ユニットと、中立ユニットとを対向配置させた自動改札機１の改札通路は、利用者が駅構内に入場する方向の一方向である。出場ユニットと、中立ユニットとを対向配置させた自動改札機１の改札通路は、利用者が駅構内から出場する方向の一方向である。
【００２５】
ここでは、入場ユニットと、出場ユニットとを対向配置させ、改札通路における利用者の通行方向を双方向とした自動改札機１を例にして説明する。図１は、自動改札機の主要部の構成を示すブロック図である。図２は、自動改札機を構成する一方の改札ユニット（出場ユニット）の外観を示す図である。図３は、図２に示す破線で囲んだ領域の拡大図である。
【００２６】
自動改札機１は、制御部２と、読取部３ａ、３ｂと、無線通信部４ａ、４ｂと、表示部５ａ、５ｂと、利用者検知部６と、扉開閉部７と、を備えている。
【００２７】
制御部２は、自動改札機１本体各部の動作を制御する。制御部２が、この発明言う判定部に相当する構成を有する。制御部２は、ＣＰＵ（コンピュータ）を備え、この発明にかかる通行管理方法を実行する。また、制御部２は、この発明にかかる通行管理プログラムを実行する。
【００２８】
読取部３ａ、３ｂは、２次元バーコード（例えばＱＲコード（登録商標））を光学的に読み取り、この２次元バーコードが示す乗車券情報を取得する。読取部３ａ、３ｂが、この発明で言う読取部に相当する。２次元バーコードが、この発明で言う情報記号に相当し、乗車券情報が、この発明で言う第１の情報に相当する。２次元バーコードが示す乗車券情報の詳細については、後述する。読取部３ａは、出場ユニットに設けている。読取部３ａが２次元バーコードを光学的に読み取る読取領域は、図３に示すように、駅構内から出場する利用者にとっての改札通路入口付近である。読取部３ｂは、入場ユニットに設けている。読取部３ｂが２次元バーコードを光学的に読み取る読取領域は、駅構内から入場する利用者にとっての改札通路入口付近である。
【００２９】
無線通信部４ａ、４ｂは、通信距離が十ｃｍ〜数ｍである近距離無線通信、例えばブルートゥース（登録商標）、で携帯端末２０と通信する。無線通信部４ａのアンテナ１４ａは、読取部３ａの読取領域周辺に配置している（図３参照）。無線通信部４ｂのアンテナ１４ｂは、読取部３ｂの読取領域周辺に配置している。無線通信部４ａ、４ｂが、この発明で言うゲート側無線通信部に相当する。
【００３０】
表示部５ａ、５ｂは、改札通路に進入した利用者に対するメッセージを出力する。表示部５ａは、出場ユニットに取り付けた表示器１５ａにおけるメッセージの表示を制御する。表示器１５ａは、駅構内から出場する利用者にとっての改札通路出口側に取り付けている。表示部５ｂは、入場ユニットに取り付けた表示器１５ｂにおけるメッセージの表示を制御する。表示器１５ａは、駅構内に入場する利用者にとっての改札通路出口側に取り付けている。
【００３１】
利用者検知部６は、改札通路における利用者の通行方向に沿って並べた複数のセンサにより、改札通路を通行している利用者の位置を検知する。
【００３２】
扉開閉部７は、利用者に対して改札通路の通行を許可しない場合に、当該利用者の出口側に位置する扉７ａ、７ｂを閉する。扉開閉部７は、駅構内から出場する利用者に対して改札通路の通行を許可しない場合に、扉７ａを閉する。また、扉開閉部７は、駅構内に入場する利用者に対して改札通路の通行を許可しない場合に、扉７ｂを閉する。
【００３３】
なお、詳細については後述するが、この発明で言う判定部は、制御部２が備える。
【００３４】
図４は、携帯端末の主要部の構成を示すブロック図である。図５は、乗車券情報を示す２次元バーコードを表示させた携帯端末の表示器の画面例を示す図である。携帯端末２０は、制御部２１と、表示部２２と、無線通信部２３と、乗車券情報記憶部２４と、端末ＩＤ記憶部２５と、を備える。
【００３５】
なお、図４では、図示していないが、携帯端末２０は、携帯電話機能、カメラ機能等にかかる構成を備えていてもよい。
【００３６】
制御部２１は、携帯端末２０本体各部の動作を制御する。制御部２１が、この発明で言う検知部に相当する構成を有する。
【００３７】
表示部２２は、乗車券情報を示す２次元バーコードを表示器２２ａに表示する。
【００３８】
無線通信部２３は、通信距離が十ｃｍ〜数ｍである近距離無線通信、例えばブルートゥース（登録商標）、で自動改札機１と通信する。この無線通信部２３が、この発明で言う端末側無線通信部に相当する。
【００３９】
乗車券情報記憶部２４は、乗車券の発券情報と、券利用情報とを対応づけて記憶する。発券情報は、表示部２２が表示器２２ａに表示する画面の画像データである。表示部２２が発券情報に基づいて表示器２２ａに表示する画面には、図５に示すように、２次元バーコードと、券種、発行駅、発行金額、発行日を示す文字とが含まれている。この２次元バーコードが示す情報（この発明で言う、第１の情報に相当する。）には、券種、発行駅、発行金額、発行日等の情報に加えて、この２次元バーコードを識別する識別コードを示す情報と、この２次元バーコードにかかる乗車券を発券した携帯端末２０を識別する端末コードを示す情報が含まれている。上述したように、２次元バーコードが示す情報が、ここで言う乗車券情報である。
【００４０】
なお、発券情報は、１次元バーコード等の他の情報記号で、乗車券情報を示すものであってもよい。
【００４１】
また、券利用情報は、対応する発券情報の２次元バーコードを識別する識別コードと、入場駅、入場日時、出場駅、出場日時等を示す乗車券の利用状態を示す利用情報が含まれている。入場駅や、入場日時にかかるデータは、乗車券が駅構内への入場にかかる改札処理で使用されていないとき、未入場を示す。出場駅や、出場日時にかかるデータは、乗車券が駅構内からの出場にかかる改札処理で使用されていないとき、未出場を示す。
【００４２】
なお、券利用情報には、券種、発行駅、発行金額、発行日等の情報が含まれていてもよい。また、上述した２次元バーコードを識別する識別コードは、乗車券を識別する券識別コードであってもよい。券利用情報には、携帯端末２０を識別する端末コードを示す情報が含まれていない。
【００４３】
端末ＩＤ記憶部２５は、携帯端末２０を一意的に識別する端末コードを記憶する。端末ＩＤ記憶部２５は、携帯端末２０本体取り付けたＳＩＭカードであってもよいし、制御部２１に設けられた不揮発性メモリであってもよい。
【００４４】
乗車券情報記憶部２４に記憶している券利用情報と、端末ＩＤ記憶部２５に記憶している端末コードとを含む情報が、この発明で言う第２の情報に相当する。
【００４５】
以下、この例にかかる改札システムの動作について説明する。
【００４６】
まず、利用者は、所有する携帯端末２０を用いて、図示していない券売機等で乗車券を購入する。乗車券の購入時、携帯端末２０は端末コードを券売機等に送信する。券売機等は、受信した携帯端末２０の端末コード、および利用者の選択した券種、発行金額に応じて、乗車券の発券情報と、券利用情報とを生成し、これを携帯端末２０に送信する。携帯端末２０は、券売機等から受信した乗車券の発券情報、および券利用情報を乗車券情報記憶部２４に記憶する。
【００４７】
この時点において、携帯端末２０が乗車券情報記憶部２４に記憶した券利用情報は、入場駅、および入場日時にかかるデータが未入場であり、出場駅、および出場日時にかかるデータが未出場である。また、発券情報の２次元バーコードには、乗車券を購入する際に用いられた携帯端末２０の端末コードを示す情報、および、この２次元バーコードを一意的に識別する識別コードを示す情報が含まれている。２次元バーコードを識別する識別コードは、券利用情報にも含まれている。
【００４８】
図６は、自動改札機の動作を示すフローチャートである。図７は、携帯端末の動作を示すフローチャートである。
【００４９】
自動改札機１は、無線通信部４ａ、４ｂが一定時間間隔で任意の携帯端末２０に対してポーリングを行っている。無線通信部４ａ、４ｂは、アンテナ１４ａ、１４ｂから送出される電波の強度が予め定められた強度になるように、ポーリングを行っている。
【００５０】
また、利用者は、改札通路に進入する前に、携帯端末２０を操作して、乗車券情報記憶部２４に記憶している発券情報に基づく画面を表示器２２ａに表示させている（図５参照）。
【００５１】
駅構内に入場する利用者は、改札通路に進入するとき、所持している携帯端末２０の表示器２２ａの画面を、読取部３ｂの読取領域に近づける。また、駅構内から出場する利用者は、改札通路に進入するとき、所持している携帯端末２０の表示器２２ａの画面を、読取部３ａの読取領域に近づける。上述したように、読取部３ａ、３ｂの読取領域周辺に、アンテナ１４ａ、１４ｂを配置している。利用者が、携帯端末２０を読取部３ａ、３ｂの読取領域に近づけると、携帯端末２０は、アンテナ１４ａ、１４ｂに近づく。携帯端末２０は、アンテナ１４ａ、１４ｂに近づくにつれて、無線通信部２３で受信している電波（アンテナ１４ａ、１４ｂから送出されている電波）の強度が大きくなる。図８は、携帯端末と自動改札機のアンテナとの距離と、携帯端末で受信される電波の強度の関係を示す図である。
【００５２】
携帯端末２０は、制御部２１が、無線通信部２３で受信している電波の強度が予め定められた閾値Ｔｔｈ（例えば、読取部３ａ、３ｂからＬ＝約５０ｃｍ位置の電波強度）よりも大きいと判定すると、無線通信部２３において、乗車券情報記憶部２４に記憶している券利用情報、および端末ＩＤ記憶部２５に記憶している端末コードを送信する（ｓ２１、ｓ２２）。すなわち、携帯端末２０は、アンテナ１４ａ、１４ｂとの距離がＬより短くなると、無線通信部２３において、乗車券情報記憶部２４に記憶している券利用情報、および端末ＩＤ記憶部２５に記憶している端末コードを送信する。ｓ２１では、携帯端末２０本体が読取部３ａ、３ｂの読取領域周辺に位置しているかどうかを検知している。ｓ２１が、この発明で言う検知部に相当する構成である。すなわち、制御部２１が、この発明で言う検知部にかかる構成を備える。
【００５３】
自動改札機１は、携帯端末２０から送信された券利用情報、および端末コードを受信すると（ｓ１）、読取部３ａ、３ｂで２次元バーコードの読み取りを行う（ｓ２）。ｓ２では、自動改札機１は、利用者が読取部３ａ、３ｂの読取領域に翳した携帯端末２０の表示器２２ａに表示されている２次元バーコードを光学的に読み取り、この２次元バーコードが示す乗車券情報を取得する。ｓ１では、無線通信部４ａ、４ｂの両方で、携帯端末２０が送信した券利用情報、および端末コードを受信することもあるが、ｓ２で２次元バーコードを読み取るのは、読取部３ａ、３ｂの一方である。したがって、自動改札機１は、ｓ２で２次元バーコードを読み取った読取部３ａ、３ｂによって、利用者が駅構内に入場するのか、駅構内から出場するのかを判定することができる。
【００５４】
自動改札機１は、ｓ１で受信した券利用情報に含まれている識別コードと、ｓ２で取得した乗車券情報に含まれている識別コードとが一致しているかどうかを判定する（ｓ３）。ｓ３では、ｓ１で受信した券利用情報と、ｓ２で取得した乗車券情報とが同じ乗車券にかかる情報であるかどうかを判定している。自動改札機１は、ｓ３で識別コードが一致していないと判定すると、改札通路における利用者の通行を許可しないと判断し、当該利用者にとっての改札通路出口側に位置する扉７ａ、７ｂを閉する（ｓ９）。
【００５５】
自動改札機１は、このｓ３にかかる判定を行うことで、改札処理時に、異なる乗車券の発券情報と、券利用情報とが組み合わせて使用されても、改札通路における利用者の通行を許可しない。したがって、異なる乗車券の発券情報と、券利用情報とを組み合わせて使用する、乗車券の使い回しや、キセル等の不正使用が防止できる。
【００５６】
また、自動改札機１は、ｓ３で識別コードが一致していると判定すると、ｓ１で券利用情報とともに受信した端末コードと、ｓ２で取得した乗車券情報に含まれている端末コードとが一致しているかどうかを判定する（ｓ４）。ｓ４では、乗車券を購入するときに使用された携帯端末２０（乗車券を発券した携帯端末２０）と、今回の改札処理で使用されている携帯端末２０とが、同じであるかどうかを判定している。自動改札機１は、ｓ４で端末コードが一致していないと判定すると、改札通路における利用者の通行を許可しないと判断し、当該利用者にとっての改札通路出口側に位置する扉７ａ、７ｂを閉する（ｓ９）。
【００５７】
自動改札機１は、このｓ４にかかる判定を行うことで、乗車券を購入するときに使用した携帯端末２０に記憶された発券情報、および券利用情報が別の携帯端末２０にコピーされ、改札処理時に、この別の携帯端末２０でコピーした発券情報、および券利用情報が使用されても、改札通路における利用者の通行を許可しない。したがって、発券情報、および券利用情報を別の携帯端末２０にコピーして使用する、乗車券の使い回し等の不正使用が防止できる。
【００５８】
自動改札機１は、ｓ４で、端末コードが一致していると判定すると、ｓ１で受信した券利用情報を用いて、利用状態が適正であるかどうかを判定する（ｓ５）。ｓ５では、駅構内に入場する利用者であれば、券利用情報が、未入場、未出場を示していれば、利用状態が適正であると判定し、駅構内から出場する利用者であれば、券利用情報が、入場済、未出場を示していれば、利用状態が適正であると判定する。自動改札機１は、ｓ５で利用状態が適正でないと判定すると、ｓ９で当該利用者にとっての改札通路出口側に位置する扉７ａ、７ｂを閉する。このｓ５にかかる判定を行うことで、乗車券の使い回しや、キセル等の不正使用が防止できる。
【００５９】
自動改札機１は、ｓ５で利用状態が適正であると判定すると、利用区間が適正であるかどうかを判定する（ｓ６）。ｓ６では、乗り越し等による料金不足が生じていないかどうかを判定している。自動改札機１は、ｓ６で利用区間が適正でないと判定すると、ｓ９で当該利用者にとっての改札通路出口側に位置する扉７ａ、７ｂを閉する。このｓ６にかかる判定を行うことで、乗り越し等にかかる利用者に対する改札処理が適正に行える。
【００６０】
また、自動改札機１は、ｓ６で利用区間が適正であると判定すると、当該利用者にとっての改札通路の出口側に位置する扉７ａ、７ｂを開する（ｓ７）。また、自動改札機１は、無線通信部４ａ、４ｂにおいて、券利用情報の更新指示を携帯端末２０に送信し（ｓ８）、ｓ１に戻る。ｓ８では、今回の改札処理が駅構内に入場する利用者に対する改札処理であった場合、券利用情報の入場駅を自動改札機１が設置されている駅、入場日時を現在の日時に更新させる更新指示を携帯端末２０に送信する。この更新指示では、券利用情報の出場駅、および出場日時については、更新を指示しない。また、今回の改札処理が駅構内から出場する利用者に対する改札処理であった場合、券利用情報の出場駅を自動改札機１が設置されている駅、出場日時を現在の日時に更新させる更新指示を携帯端末２０に送信する。この更新指示では、券利用情報の入場駅、および入場日時については、更新を指示しない。また、今回の改札処理が駅構内から出場する利用者に対する改札処理であった場合、発券情報、および券利用情報の削除指示を、更新指示として携帯端末２０に送信するようにしてもよい。
【００６１】
携帯端末２０は、無線通信部２３において、券利用情報の更新指示を受信すると（ｓ２３）、受信した更新指示に基づいて、乗車券情報記憶部２４に記憶している券利用情報を更新する（ｓ２４）。
【００６２】
このように、自動改札機１は、２次元バーコードが示す情報に含まれている端末コードと、携帯端末２０から送信されてきた端末コードと、の一致を条件にして、改札通路における利用者の通行可否を判定する。したがって、携帯端末２０間で発券情報の不正なコピーや、発券情報に基づいて表示される２次元バーコードがコピーされても、端末コードが一致しないので、発券情報の不正コピーに対するセキュリティを低下させることがない。
【００６３】
また、改札通路の通行を許可したときに、携帯端末２０に利用情報を更新させるので、使い回しや、キセル等に対するセキュリティの低下も抑えられる。
【００６４】
さらに、この例にかかる改札システムは、発券した乗車券を管理するサーバ等の上位装置を必要としないので、システムの構築が安価に行える。
【００６５】
なお、ｓ３〜ｓ６にかかる判定は、上述した順番に関わらず、どのような順番で行ってもよい。
【００６６】
また、本願発明は、上述した駅の改札口に設置した自動改札機が、利用者に対して改札処理を行う改札システムに限らず、例えばテーマパークや有料施設等の出入り口に設置したゲート装置で入出場者の通行を制限するシステムや、セキュリティエリアへの出入り口に設置したゲート装置で入出場者の通行を制限するシステムにも適用可能である。
【符号の説明】
【００６７】
１…自動改札機
２…制御部
３ａ、３ｂ…読取部
４ａ、４ｂ…無線通信部
５ａ、５ｂ…表示部
６…利用者検知部
７…扉開閉部
７ａ、７ｂ…扉
１４ａ、１４ｂ…アンテナ
１５ａ、１５ｂ…表示器
２０…携帯端末
２１…制御部
２２…表示部
２２ａ…表示器
２３…無線通信部
２４…乗車券情報記憶部
２５…端末ＩＤ記憶部
【図１】
0006665574.tif 000002
【図２】
0006665574.tif 000003
【図３】
0006665574.tif 000004
【図４】
0006665574.tif 000005
【図５】
0006665574.tif 000006
【図６】
0006665574.tif 000007
【図７】
0006665574.tif 000008
【図８】
0006665574.tif 000009